(57)【特許請求の範囲】
【請求項１】
１枚のラベル基材に、物品に取り付ける取付部と、折り目線により折り曲げられて物品に取り付けた状態で前面側に突出されると共に平面状に折り畳み可能になった立体表示部と、立体表示部の裏面側に延出されて係止されると共に折り目線により折り曲げられて平面状に折り畳み可能になった支持部とが設けられてなることを特徴とする組立式立体ラベル。
【請求項２】
請求項１に記載の組立式立体ラベルにおいて、上記の取付部に物品に係止させる係止部が設けられていることを特徴とする組立式立体ラベル。
【請求項３】
請求項１に記載の組立式立体ラベルにおいて、上記の取付部に物品に貼付させる粘着部が設けられていることを特徴とする組立式立体ラベル。
【請求項４】
請求項１〜３の何れか１項に記載の組立式立体ラベルにおいて、上記の立体表示部と支持部とがラベル基材の中央部に設けられると共に、ラベル基材の側部に折り目線により折り曲げられて平面状に折り畳み可能になった補助支持部が設けられていることを特徴とする組立式立体ラベル。
【請求項５】
請求項１〜３の何れか１項に記載の組立式立体ラベルにおいて、上記の立体表示部と支持部とがラベル基材の両側部に設けられると共に、ラベル基材の中央部に折り目線により折り曲げられて平面状に折り畳み可能になった補助支持部が設けられていることを特徴とする組立式立体ラベル。
【発明の詳細な説明】
【技術分野】
【０００１】
この発明は、物品に取り付けて立体的な表示を行う組立式立体ラベルに係り、特に、１枚のラベル基材によって立体的に組み立てることができ、物品に取り付けた状態でこの組立式立体ラベルを平面状に折り畳んでケース等に収納させることができると共に、物品の陳列時などに、平面状に折り畳まれた状態から組立式立体ラベルが自動的に立体的な状態になり、簡単に立体的な表示が行えるようにした点に特徴を有するものである。
【背景技術】
【０００２】
従来から、物品に、物品の名称、特徴、使用方法、製造者、製造日等の各種情報を表示するラベルを吊下げたり、貼付させたりすることが行われている。
【０００３】
しかし、従来のラベルにおいては、一般にこれらの情報をラベル表面に平面的に表示させるようにしているだけであるため、顧客の注意を十分に喚起して、情報を効果的に伝達させる機能が弱いという問題があった。
【０００４】
このため、近年においては、特許文献１に示されるように、裏面に粘着剤を塗布した基部シートの表面に、一部で不連続な切り込みによって立体表示部を区画形成した表示シートを、立体表示部を離反可能にする一方、立体表示部が形成されている部分を残して、立体表示部の外側部分を剥離困難に接着させ、上記の立体表示部を基部シートから離反させて起立状態を維持させるようにした立体ラベルが提案されている。
【０００５】
しかし、このような立体ラベルの場合、基部シートと表示シートとの２枚のシートが必要になると共に、表示シートの立体表示部の部分を残して、立体表示部の外側部分を基部シートに接着させることが必要になり、その製造が面倒であると共に、コストも高くつくという問題があり、またこのような立体ラベルを平面的な状態で物品に取り付けた後、これを上記のように立体的に組み立てる作業も非常に面倒になるという問題があった。
【０００６】
また、ビンやボトルなどの容器の首部に装着させるラベルにおいて、顧客の注意を十分に喚起させるため、特許文献２に示されるように、ラベル基材に略Ｈ字状や略コ字状になった切込みを設け、この切込み部分に容器の首部を挿入させて、切込み部分におけるラベル基材を立ち上げて起立面を形成するようにしたネックハンガーラベルが提案されている。
【０００７】
しかし、この特許文献２に示されるネックハンガーラベルにおいては、立ち上げられる起立面が小さくて、表示できる情報量が少ないという問題があった。
【０００８】
そして、近年においては、特許文献３に示される首架けラベルのように、上記の略Ｈ字状になった切込みが設けられた第１ラベル基材の両側に第２ラベル基材を接着させて、容器の首部に装着させるラベルの４面を起立させるようにし、表示できる情報量を多くすることが提案されている。
【０００９】
しかし、この特許文献３に示される首架けラベルのように、略Ｈ字状になった切込みが設けられた第１ラベル基材の両側に第２ラベル基材を接着させる作業は非常に面倒であり、その製造に時間を要すると共に、コストも高くつくという問題があった。
【００１０】
さらに、上記の特許文献２，３に示される何れのラベルにおいても、常に立体的な状態で容器の首部に装着されるだけであり、このようなラベルを容器の首部に装着させた状態では、ケースに収納させたりすることが困難になる等の問題もあった。
【特許文献１】特開２００４−１１７６３８号公報
【特許文献２】特開２００２−１４０００２号公報
【特許文献３】特開２００５−６２７０２号公報
【発明の開示】
【発明が解決しようとする課題】
【００１１】
この発明は、物品に取り付けて立体的な表示を行う組立式立体ラベルにおける上記のような問題を解決することを課題とするものであり、１枚のラベル基材によって立体的に組み立てることができ、物品に取り付けた状態でこの組立式立体ラベルを平面状に折り畳んでケース等に収納させることができると共に、物品の陳列時などに、平面状に折り畳まれた状態から組立式立体ラベルが自動的に立体的な状態になり、簡単に立体的な表示が行えるようにすることを課題とするものである。
【課題を解決するための手段】
【００１２】
この発明における組立式立体ラベルにおいては、上記のような課題を解決するため、１枚のラベル基材に、物品に取り付ける取付部と、折り目線により折り曲げられて物品に取り付けた状態で前面側に突出されると共に平面状に折り畳み可能になった立体表示部と、立体表示部の裏面側に延出されて係止されると共に折り目線により折り曲げられて平面状に折り畳み可能になった支持部とを設けた。
【００１３】
ここで、この発明の組立式立体ラベルにおいて、上記の取付部によって組立式立体ラベルを物品に取り付けるにあたっては、この取付部に、例えば、物品に係止させる係止穴や係止用切込み等の係止部を設けるようにしたり、物品に貼付させる粘着部を設けるようにしたりすることができる。
【００１４】
ここで、この発明の組立式立体ラベルにおいては、上記の立体表示部と支持部とをラベル基材の中央部に設け、ラベル基材の側部に折り目線により折り曲げられて平面状に折り畳み可能になった補助支持部を設けるようにし、或いは、上記の立体表示部と支持部とをラベル基材の両側部に設け、ラベル基材の中央部に折り目線により折り曲げられて平面状に折り畳み可能になった補助支持部を設けるようにすることができる。
【発明の効果】
【００１５】
この発明における組立式立体ラベルにおいては、１枚のラベル基材に、物品に取り付ける取付部と、折り目線により折り曲げられて物品に取り付けた状態で前面側に突出されると共に平面状に折り畳み可能になった立体表示部と、立体表示部の裏面側に延出されて係止されると共に折り目線により平面状に折り畳み可能になった支持部とを設けたため、基部シートと表示シートとの２枚のラベル基材を用いる必要がなくなると共に、表示シートの立体表示部の部分を残して、立体表示部の外側部分を基部シートに接着させるという面倒な作業を行う必要もなくなり、その製造が著しく容易になると共に、コストも大幅に低減される。
【００１６】
また、この発明における組立式立体ラベルにおいては、上記のように折り目線により折り曲げられて物品に取り付けた状態で前面側に突出される立体表示部と、立体表示部の裏面側に延出されて係止される支持部とが、それぞれ折り目線により平面状に折り畳み可能になっているため、この組立式立体ラベルを上記の取付部によって物品に取り付けた状態で、上記の立体表示部と支持部とを平面状に折り畳んで、この組立式立体ラベルを平面状にすることができ、この組立式立体ラベルを物品に取り付けた状態で、ケース等に収納させたりすることが簡単に行えるようになる。
【００１７】
また、このように組立式立体ラベルを取り付けた物品を陳列する場合などにおいては、上記のように平面状に折り畳まれた立体表示部が、組立式立体ラベルの自重及びこの立体表示部の裏面側に延出されて係止された支持部により、自動的に立体的な状態になって維持されるようになり、簡単に立体的な表示が行えるようになる。
【００１８】
また、上記の立体表示部と支持部とをラベル基材の中央部に設け、ラベル基材の側部に折り目線により折り曲げられて平面状に折り畳み可能になった補助支持部を設けるようにし、或いは、上記の立体表示部と支持部とをラベル基材の両側部に設け、ラベル基材の中央部に折り目線により折り曲げられて平面状に折り畳み可能になった補助支持部を設けるようにした場合には、これらの補助支持部も、上記の立体表示部及び支持部と同様に平面状に折り畳まれて、この組立式立体ラベルを平面状にすることができ、この組立式立体ラベルを物品に取り付けた状態で、ケース等に収納させることが簡単に行えると共に、この組立式立体ラベルを取り付けた物品を陳列する場合などにおいては、この補助支持部によって、組立式立体ラベルがより安定して立体的な状態で維持されるようになる。
【発明を実施するための最良の形態】
【００１９】
以下、この発明の実施形態に係る組立式立体ラベルを添付図面に基づいて具体的に説明する。なお、この発明に係る組立式立体ラベルは、下記の実施形態に示したものに限定されるものではなく、その要旨を変更しない範囲において適宜変更して実施できるものである。
【００２０】
（実施形態１）
実施形態１における組立式立体ラベルＡ１においては、図１に示すように、ラベル基材１０の上部に、この組立式立体ラベルＡ１をボトル形状になった物品２０Ａのキャップ部２１に係止させるための係止穴１１ａと、この係止穴１１ａを拡開させるための拡開用切込み１１ｂとを有する取付部１１を設けている。
【００２１】
そして、この取付部１１を折り曲げる取付部折り目線１１ｃを介して連続したラベル基材１０の部分に一対の立体表示部形成用切込み１２ａを設け、このラベル基材１０の幅方向中央部に立体表示部１２を形成すると共に、この立体表示部１２の両側に補助支持部１３を形成している。
【００２２】
そして、上記の立体表示部１２が物品２０Ａに取り付けた状態で前面側に突出されると共に平面状に折り畳み可能になるように、上記の一対の立体表示部形成用切込み１２ａの上端間を結ぶ谷折り用の第１折り目線１４ａと、一対の立体表示部形成用切込み１２ａの下端間を結ぶ谷折り用の第２折り目線１４ｂと、立体表示部形成用切込み１２ａの途中位置において一対の立体表示部形成用切込み１２ａを結ぶ山折り用の第３折り目線１４ｃとを形成すると共に、上記の第１折り目線１４ａの中央部に支持部係止用切込み１２ｂを設けている。
【００２３】
また、立体表示部１２の両側における補助支持部１３には、平面状に折り畳み可能になるように、それぞれ谷折り用の第４折り目線１４ｄを設けている。
【００２４】
また、上記の立体表示部１２と補助支持部１３とが形成された部分に対して折返し状に折り曲げるための山折り用の第５折り目線１４ｅを介して連続したラベル基材１０の部分において、上記の立体表示部１２に対応するラベル基材１０の幅方向中央部に、山折り用の第５及び第６折り目線１４ｅ，１４ｆで折り曲げて立体表示部１２の裏面側に延出させる支持部１５を設けている。
【００２５】
そして、この支持部１５の先端に上記の第１折り目線１４ａの中央部に設けられた支持部係止用切込み１２ｂに差し込んで係止させる係止突部１５ａを設けると共に、この支持部１５が平面状に折り畳み可能になるように、支持部１５の途中位置に山折り用の第７折り目線１４ｇを設けている。
【００２６】
そして、図２に示すように、上記の立体表示部１２及び立体表示部１２の両側における補助支持部１３を、上記の第１〜第４の各折り目線１４ａ〜１４ｄに沿って折り曲げると共に、上記の第５折り目線１４ｅで折返し状に折り曲げ、さらに上記の第６折り目線１４ｆで折り曲げ、上記の支持部１５を立体表示部１２の裏面側に延出させ、この支持部１５の先端に設けられた係止突部１５ａを上記の支持部係止用切込み１２ｂを差し込んで、この支持部１５を立体表示部１２の裏面側において筋かい状に係止させると、上記の立体表示部１２が、上記の筋かい状の支持部１５及びＬ字状になった補助支持部１３に支持されて、階段状に前面側に突出された状態で維持されるようになる。
【００２７】
そして、この実施形態１における組立式立体ラベルＡ１においては、図３及び図４に示すように、上記の取付部折り目線１１ｃにより取付部１１を折り曲げ、この取付部１１に設けられた係止穴１１ａを拡開用切込み１１ｂにより拡開させて、この係止穴１１ａにボトル形状になった物品２０Ａのキャップ部２１を挿入させて、この組立式立体ラベルＡ１を物品２０Ａに取り付けるようにする。
【００２８】
このようにすると、上記のように立体表示部１２が支持部１５及び補助支持部１３に支持されて階段状に前面側に突出された状態で維持され、この組立式立体ラベルＡ１によって安定した立体的な表示が行えるようになる。
【００２９】
また、上記の立体表示部１２及び立体表示部１２の両側における補助支持部１３を、上記の第１〜第４の各折り目線１４ａ〜１４ｄに沿って上方に折り返すように折り畳むと共に、支持部１５の先端に設けられた上記の係止突部１５ａを支持部係止用切込み１２ｂに差し込んだ状態で、この支持部１５を上記の第７折り目線１４ｇに沿って上方に折り返すように折り畳むと、図５に示すように、この組立式立体ラベルＡ１が平面状に折り畳まれた状態になり、この組立式立体ラベルＡ１を物品２０Ａに取り付けた状態で、この物品２０Ａをケース（図示せず）等に収容させることが簡単に行えるようになる。
【００３０】
また、このように組立式立体ラベルＡ１が取り付けられた状態でケース（図示せず）等に収容させた物品２０Ａを取り出すと、上記の組立式立体ラベルＡ１が自重等によって平面状に折り畳む前の状態に復帰し、上記のように立体表示部１２が支持部１５及び補助支持部１３に支持されて階段状に前面側に突出された状態で維持され、安定した立体的な表示が行えるようになる。
【００３１】
（実施形態２）
実施形態２における組立式立体ラベルＡ２においては、図６に示すように、図１に示した実施形態１の組立式立体ラベルＡ１における取付部折り目線１１ｃよりも上部側の取付部１１を無くし、別の取付部１１として、上記の立体表示部１２及び立体表示部１２の両側における補助支持部１３よりも上部側におけるラベル基材１０の裏面に粘着剤を塗布させた粘着部１１ｄを設け、それ以外は、上記の実施形態１の組立式立体ラベルＡ１と同様に構成している。
【００３２】
ここで、この実施形態２における組立式立体ラベルＡ２においても、上記の実施形態１の組立式立体ラベルＡ１の場合と同様にして、この組立式立体ラベルＡ２を立体的に組み立てることができる。
【００３３】
そして、このように立体的に組み立てた実施形態２における組立式立体ラベルＡ２を物品２０Ａに取り付けるにあたっては、図６に示すように、上記の取付部１１における粘着部１１ｄをボトル形状になった物品２０Ａの胴部２２に貼付させて、この組立式立体ラベルＡ２を物品２０Ａに取り付けるようにする。
【００３４】
このように組立式立体ラベルＡ２を物品２０Ａに取り付けると、上記の実施形態１の組立式立体ラベルＡ１の場合と同様に、立体表示部１２が支持部１５及び補助支持部１３に支持されて階段状に前面側に突出された状態で維持され、この組立式立体ラベルＡ２によって安定した立体的な表示が行えるようになる。
【００３５】
また、この実施形態２における組立式立体ラベルＡ２においても、上記の実施形態１の組立式立体ラベルＡ１の場合と同様にして、この組立式立体ラベルＡ２を物品２０Ａに取り付けた状態で平面状に折り畳むことができ、この組立式立体ラベルＡ２を物品２０Ａに取り付けた状態で、この物品２０Ａをケース（図示せず）等に収容させることが簡単に行えるようになる。
【００３６】
また、このように組立式立体ラベルＡ２が取り付けられた状態でケース（図示せず）等に収容させた物品２０Ａを取り出すと、上記の実施形態１の組立式立体ラベルＡ１と同様に、上記の組立式立体ラベルＡ２が自重等によって平面状に折り畳む前の状態に復帰し、上記のように立体表示部１２が支持部１５及び補助支持部１３に支持されて階段状に前面側に突出された状態で維持され、安定した立体的な表示が行えるようになる。
【００３７】
なお、この組立式立体ラベルＡ２の場合、上記のように取付部１１における粘着部１１ｄを物品２０Ａに貼付させて取り付けるようにしているため、この組立式立体ラベルＡ２を取り付ける物品は特に上記のようなボトル形状になった物品２０Ａに限られず、粘着部１１ｄを貼付できる部分があればどのような物品にも利用することができる。
【００３８】
（実施形態３）
実施形態３における組立式立体ラベルＡ３においては、図８に示すように、図１に示した実施形態１の組立式立体ラベルＡ１における取付部１１を変更し、取付部１１を折り曲げるための取付部折り目線１１ｃを無くす一方、この取付部１１にハ字状に一対の係止用切込み１１ｅを設けると共に、この一対の係止用切込み１１ｅの上端及び上端から下方の位置において、この一対の係止用切込み１１ｅ間に第１及び第２の係止部突出用折り目線１１ｆ，１１ｇを設け、それ以外は、上記の実施形態１の組立式立体ラベルＡ１とほぼ同様に構成している。
【００３９】
ここで、この実施形態３における組立式立体ラベルＡ３においても、上記の実施形態１の組立式立体ラベルＡ１の場合と同様にして、この組立式立体ラベルＡ３を立体的に組み立てることができる。
【００４０】
そして、このように立体的に組み立てた実施形態３の組立式立体ラベルＡ３においては、上記の第１及び第２の係止部突出用折り目線１１ｆ，１１ｇにより上記の一対の係止用切込み１１ｅの間の部分を折り曲げて前方に突出させて、各係止用切込み１１ｅの部分を開口させ、図９に示すように、チューブ状になった物品２０Ｂのキャップ部２１を下にして、このキャップ部２１とは反対側の扁平になった両側部を、それぞれ上記のように開口された各係止用切込み１１ｅの部分に挿入させるようにして係止させ、この組立式立体ラベルＡ３を上記の物品２０Ｂに取り付けるようにする。
【００４１】
このようにして組立式立体ラベルＡ３を物品２０Ｂに取り付けると、上記の実施形態１の組立式立体ラベルＡ１の場合と同様に、立体表示部１２が支持部１５及び補助支持部１３に支持されて階段状に前面側に突出された状態で維持され、この組立式立体ラベルＡ３によって安定した立体的な表示が行えるようになる。
【００４２】
また、この実施形態３における組立式立体ラベルＡ３においても、上記の実施形態１の組立式立体ラベルＡ１の場合と同様にして、この組立式立体ラベルＡ３を物品２０Ｂに取り付けた状態で平面状に折り畳むことができ、この組立式立体ラベルＡ３を物品２０Ｂに取り付けた状態で、この物品２０Ｂをケース（図示せず）等に収容させることが簡単に行えるようになる。
【００４３】
また、このように組立式立体ラベルＡ３が取り付けられた状態でケース（図示せず）等に収容させた物品２０Ｂを取り出すと、上記の実施形態１の組立式立体ラベルＡ１と同様に、上記の組立式立体ラベルＡ３が自重等によって平面状に折り畳む前の状態に復帰し、上記のように立体表示部１２が支持部１５及び補助支持部１３に支持されて階段状に前面側に突出された状態で維持され、安定した立体的な表示が行えるようになる。
【００４４】
（実施形態４）
実施形態４における組立式立体ラベルＡ４においては、図１０に示すように、図１に示した実施形態１の組立式立体ラベルＡ１と同様に、ラベル基材１０の上部に、この組立式立体ラベルＡ４をボトル形状になった物品２０Ａのキャップ部２１に係止させるための係止穴１１ａと、この係止穴１１ａを拡開させるための拡開用切込み１１ｂとを有する取付部１１を設けている。
【００４５】
そして、この取付部１１を折り曲げる取付部折り目線１１ｃを介して連続したラベル基材１０の部分に一対の立体表示部形成用切込み１２ａを設け、このラベル基材１０の幅方向両側に立体表示部１２を形成すると共に、この両側の立体表示部１２間におけるラベル基材１０の中央部に補助支持部１３を形成している。
【００４６】
そして、上記の幅方向両側における立体表示部１２が物品２０Ａに取り付けた状態で前面側に突出されると共に平面状に折り畳み可能になるように、各立体表示部１２において、上記の各立体表示部形成用切込み１２ａの上端からラベル基材１０の幅方向端部に伸びた谷折り用の第１折り目線１４ａと、各立体表示部形成用切込み１２ａの下端からラベル基材１０の幅方向端部に伸びた谷折り用の第２折り目線１４ｂと、各立体表示部形成用切込み１２ａの途中位置からラベル基材１０の幅方向端部に伸びた山折り用の第３折り目線１４ｃとを形成すると共に、上記の各第１折り目線１４ａの中央部にそれぞれ支持部係止用切込み１２ｂを設けている。
【００４７】
また、両側の立体表示部１２の間における補助支持部１３には、平面状に折り畳み可能になるように、谷折り用の第４折り目線１４ｄを設けている。
【００４８】
また、上記の立体表示部１２と補助支持部１３とが形成された部分に対して折返し状に折り曲げるための山折り用の第５折り目線１４ｅを介して連続したラベル基材１０の部分において、上記の各立体表示部１２に対応するラベル基材１０の幅方向両側部に、それぞれ山折り用の第５及び第６折り目線１４ｅ，１４ｆで折り曲げて立体表示部１２の裏面側に延出させる各支持部１５を設けている。
【００４９】
そして、この両側の各支持部１５の先端にそれぞれ上記の各第１折り目線１４ａの中央部に設けられた支持部係止用切込み１２ｂに差し込んで係止させる係止突部１５ａを設けると共に、この支持部１５が平面状に折り畳み可能になるように、各支持部１５の途中位置に山折り用の第７折り目線１４ｇを設けている。
【００５０】
すなわち、この実施形態４における組立式立体ラベルＡ４は、上記の実施形態１の組立式立体ラベルＡ１において、立体表示部１２及び支持部１５がラベル基材１０の幅方向両側に設けられる一方、補助支持部１３が両側の立体表示部１２間におけるラベル基材１０の中央部に設けられている点が相違しているだけであり、それ以外は、上記の実施形態１の組立式立体ラベルＡ１と同様に構成されている。
【００５１】
そして、この実施形態４における組立式立体ラベルＡ４においては、上記の両側の立体表示部１２及び立体表示部１２間における補助支持部１３を、上記の第１〜第４の各折り目線１４ａ〜１４ｄに沿って折り曲げると共に、上記の第５折り目線１４ｅで折返し状に折り曲げ、さらに上記の第６折り目線１４ｆで折り曲げ、各支持部１５をそれぞれ各立体表示部１２の裏面側に延出させ、各支持部１５の先端に設けられた各係止突部１５ａを上記の各支持部係止用切込み１２ｂに差し込んで、各支持部１５を各立体表示部１２の裏面側において筋かい状に係止させるようにし、上記の両側における各立体表示部１２が、筋かい状の各支持部１５及びＬ字状になった補助支持部１３に支持されて、階段状に前面側に突出された状態で維持されるようになる。
【００５２】
そして、この実施形態４における組立式立体ラベルＡ４においても、上記の実施形態１の組立式立体ラベルＡ１と同様に、上記の取付部折り目線１１ｃにより取付部１１を折り曲げ、この取付部１１に設けられた係止穴１１ａを拡開用切込み１１ｂにより拡開させて、この係止穴１１ａにボトル形状になった物品２０Ａのキャップ部２１を挿入させて、図１１に示すように、この組立式立体ラベルＡ４を物品２０Ａに取り付けるようにする。
【００５３】
このようにすると、上記のように両側の立体表示部１２がそれぞれ支持部１５及び補助支持部１３に支持されて階段状に前面側に突出された状態で維持され、この組立式立体ラベルＡ４によって安定した立体的な表示が行えるようになる。
【００５４】
また、上記の両側の立体表示部１２及び立体表示部１２間における補助支持部１３を、上記の第１〜第４の各折り目線１４ａ〜１４ｄに沿って上方に折り返すように折り畳むと共に、各支持部１５の先端に設けられた上記の係止突部１５ａを各支持部係止用切込み１２ｂに差し込んだ状態で、各支持部１５を上記の第７折り目線１４ｇに沿って上方に折り返すように折り畳むと、この組立式立体ラベルＡ４が、上記の実施形態１の組立式立体ラベルＡ１と同様に平面状に折り畳まれた状態になり、この組立式立体ラベルＡ４を物品２０Ａに取り付けた状態で、この物品２０Ａをケース（図示せず）等に収容させることが簡単に行えるようになる。
【００５５】
また、このように組立式立体ラベルＡ４が取り付けられた状態でケース（図示せず）等に収容させた物品２０Ａを取り出すと、上記の組立式立体ラベルＡ４が自重等によって平面状に折り畳む前の状態に復帰し、上記のように両側の立体表示部１２がそれぞれ各支持部１５及び補助支持部１３に支持されて、階段状に前面側に突出された状態で維持され、安定した立体的な表示が行えるようになる。
【００５６】
なお、上記の実施形態１〜４の各組立式立体ラベルＡ１〜Ａ４においては、立体表示部１２の途中位置に設ける山折り用の第３折り目線１４ｃの位置などを変更させることにより、立体表示部１２が前面側に突出する長さなどを自由に変更させることができる。
【００５７】
また、上記の実施形態１〜４の各組立式立体ラベルＡ１〜Ａ４においては、左右対称に形成したが、左右非対称に形成することもできる。例えば、上記の実施形態１の組立式立体ラベルＡ１において、左側の切込み１２ａを直線状に、右側の切込み１２ａを曲線状に形成することができる。
【００５８】
また、この発明の組立式立体ラベルにおいて、物品に取り付ける取付部の構成は上記のようなものに限定されず、組立式立体ラベルを取り付ける物品の状態に応じて適宜変更することができる。
【図面の簡単な説明】
【００５９】
【図１】この発明の実施形態１に係る組立式立体ラベルの概略平面図である。
【図２】上記の実施形態１に係る組立式立体ラベルを立体的に組み立てた状態を示した概略斜視図である。
【図３】立体的に組み立てた実施形態１に係る組立式立体ラベルを、ボトル状になった物品のキャップ部に取り付けた状態を示した概略斜視図である。
【図４】立体的に組み立てた実施形態１に係る組立式立体ラベルを、ボトル状になった物品のキャップ部に取り付けた状態を示した概略側面図である。
【図５】物品のキャップ部に取り付けた実施形態１に係る組立式立体ラベルを平面状に折り畳んだ状態を示した概略側面図である。
【図６】この発明の実施形態２に係る組立式立体ラベルの裏面側の概略平面図である。
【図７】上記の実施形態２に係る組立式立体ラベルを立体的に組み立てて、ボトル状になった物品の胴部に取り付けた状態を示した概略側面図である。
【図８】この発明の実施形態３に係る組立式立体ラベルの概略平面図である。
【図９】上記の実施形態３に係る組立式立体ラベルを立体的に組み立てて、チューブ状になった物品のキャップ部とは反対側の扁平になった両側部に取り付けた状態を示した概略側面図である。
【図１０】この発明の実施形態４に係る組立式立体ラベルの概略平面図である。
【図１１】上記の実施形態４に係る組立式立体ラベルを立体的に組み立てて、ボトル状になった物品のキャップ部に取り付けた状態を示した概略側面図である。
【符号の説明】
【００６０】
Ａ１〜Ａ４  組立式立体ラベル
１０  ラベル基材
１１  取付部
１１ａ  係止穴
１１ｂ  拡開用切込み
１１ｃ  取付部折り目線
１１ｄ  粘着部
１１ｅ  係止用切込み
１１ｆ，１１ｇ  第１，第２の係止部突出用折り目線
１２  立体表示部
１２ａ  立体表示部形成用切込み
１２ｂ  支持部係止用切込み
１３  補助支持部
１４ａ〜１４ｇ  第１〜第７折り目線
１５  支持部
１５ａ  係止突部
２０Ａ，２０Ｂ  物品
２１  キャップ部
２２  胴部
【図１】
0004925352.tif 000002
【図２】
0004925352.tif 000003
【図３】
0004925352.tif 000004
【図４】
0004925352.tif 000005
【図５】
0004925352.tif 000006
【図６】
0004925352.tif 000007
【図７】
0004925352.tif 000008
【図８】
0004925352.tif 000009
【図９】
0004925352.tif 000010
【図１０】
0004925352.tif 000011
【図１１】
0004925352.tif 000012